(57)【要約】  無線端末（１００）は、無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする。無線端末（１００）は、自無線端末の能力を示す端末能力情報をＷＷＡＮ基地局に送信する制御部を備える。前記制御部は、自無線端末のＷＬＡＮ媒体アクセス制御（ＭＡＣ）アドレスを前記能力情報に含める。
2017026442.tif 000002
【特許請求の範囲】
【請求項１】
無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする無線端末であって、
自無線端末の能力を示す端末能力情報をＷＷＡＮ基地局に送信する制御部を備え、
前記制御部は、自無線端末のＷＬＡＮ媒体アクセス制御（ＭＡＣ）アドレスを前記能力情報に含める無線端末。
【請求項２】
無線広域ネットワーク（ＷＷＡＮ）に含まれる基地局であって、
Ｘｗインターフェイスを介して、無線狭域ネットワーク（ＷＬＡＮ）に含まれるＷＬＡＮ装置に信号を送信する送信部と、
前記ＷＷＡＮの通信及び前記ＷＬＡＮの通信を同時に用いるＷＷＡＮ・ＷＬＡＮアグリゲーションをサポートする無線端末とのＲＲＣ接続を行う制御部と、を備え、
前記制御部は、前記ＷＬＡＮ装置と前記無線端末との間の認証処理に用いる認証情報を生成し、
前記送信部は、前記ＷＷＡＮ・ＷＬＡＮアグリゲーションを開始するためのＷＬＡＮ追加要求を前記Ｘｗインターフェイス上で前記ＷＬＡＮ装置に送信し、
前記ＷＬＡＮ追加要求は、前記Ｘｗインターフェイス上で前記無線端末を識別するための端末識別情報と、前記無線端末のＷＬＡＮ媒体アクセス制御（ＭＡＣ）アドレスと、前記認証情報と、を含む基地局。
【請求項３】
無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする無線端末であって、
前記ＷＬＡＮに含まれるＷＬＡＮ装置に信号を送信する送信部と、
前記ＷＬＡＮ装置と前記無線端末との間の認証処理に用いる認証情報を導出するための情報を含むＲＲＣメッセージを、前記ＷＷＡＮに含まれる基地局から受信する受信部と、
前記ＲＲＣメッセージに含まれる前記情報に基づいて、前記認証情報を導出する制御部と、を備え、
前記制御部は、前記認証情報を用いて前記ＷＬＡＮ装置との前記認証処理を行う無線端末。
【請求項４】
無線狭域ネットワーク（ＷＬＡＮ）に含まれるＷＬＡＮ装置であって、
無線広域ネットワーク（ＷＷＡＮ）の通信及び前記ＷＬＡＮの通信を同時に用いるＷＷＡＮ・ＷＬＡＮアグリゲーションをサポートする無線端末との通信に用いるイーサネットフレームを処理する制御部を備え、
前記イーサネットフレームに含まれるサブネットワークアクセスプロトコル（ＳＮＡＰ）ヘッダのイーサタイプフィールドは、前記イーサネットフレームが搬送するデータが前記ＷＷＡＮ・ＷＬＡＮアグリゲーションにおけるデータであることを示す情報を含むＷＬＡＮ装置。
【請求項５】
無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする無線端末であって、
前記ＷＬＡＮに含まれるＷＬＡＮ装置との通信に用いるイーサネットフレームを処理する制御部を備え、
前記イーサネットフレームに含まれるサブネットワークアクセスプロトコル（ＳＮＡＰ）ヘッダのイーサタイプフィールドは、前記イーサネットフレームが搬送するデータが前記ＷＷＡＮ・ＷＬＡＮアグリゲーションにおけるデータであることを示す情報を含む無線端末。
【請求項６】
無線広域ネットワーク（ＷＷＡＮ）との通信及び無線狭域ネットワーク（ＷＬＡＮ）との通信の両方の能力を有する無線端末であって、
前記ＷＬＡＮには、ＷＬＡＮ媒体アクセス制御（ＭＡＣ）層よりも上位層に位置付けられる所定層のエンティティが含まれ、
自無線端末がＷＷＡＮ基地局に接続した状態において前記ＷＬＡＮへのアクセスを行う際に、自無線端末の端末識別情報を前記所定層のエンティティに通知する制御部を備える無線端末。
【請求項７】
前記無線端末は、前記ＷＷＡＮの通信及び前記ＷＬＡＮの通信を同時に用いるＷＷＡＮ・ＷＬＡＮアグリゲーションの能力を有し、
前記所定層のエンティティは、前記ＷＷＡＮ・ＷＬＡＮアグリゲーションにおいて前記無線端末宛てのデータが前記ＷＷＡＮ基地局から転送されるエンティティである請求項６に記載の無線端末。
【請求項８】
前記端末識別情報は、前記ＷＷＡＮ基地局又は前記ＷＬＡＮから自無線端末に割り当てられた一時的な端末識別情報である請求項６に記載の無線端末。
【請求項９】
前記制御部は、
前記一時的な端末識別情報を前記ＷＷＡＮ基地局から取得する処理と、
自無線端末がＷＷＡＮ基地局に接続した状態において前記ＷＬＡＮへのアクセスを行う際に、前記一時的な端末識別情報を前記所定層のエンティティに通知する処理と、を行う請求項８に記載の無線端末。
【請求項１０】
前記所定層のエンティティは、ＷＬＡＮ論理リンク制御（ＬＬＣ）エンティティであり、
前記制御部は、自無線端末が前記ＷＬＡＮに送信するＬＬＣヘッダ及び／又はサブネットワークアクセスプロトコル（ＳＮＡＰ）ヘッダに前記端末識別情報を含めることにより、前記端末識別情報を前記ＷＬＡＮ  ＬＬＣエンティティに通知する請求項６に記載の無線端末。
【請求項１１】
前記所定層のエンティティは、ＷＷＡＮ規格により規定されるアダプテーション層エンティティであり、
前記制御部は、自無線端末が前記ＷＬＡＮに送信するアダプテーション層制御プロトコルデータユニット（ＰＤＵ）に前記端末識別情報を含めることにより、前記端末識別情報を前記アダプテーション層エンティティに通知する請求項６に記載の無線端末。
【請求項１２】
無線狭域ネットワーク（ＷＬＡＮ）に含まれるＷＬＡＮ装置であって、
ＷＬＡＮ媒体アクセス制御（ＭＡＣ）層よりも上位層に位置付けられる所定層のエンティティを含む制御部を備え、
前記所定層のエンティティは、無線端末が前記ＷＬＡＮにアクセスする際に前記無線端末が前記所定層のエンティティに通知する端末識別情報に基づいて、前記無線端末を特定するＷＬＡＮ装置。
【発明の詳細な説明】
【技術分野】
【０００１】
本発明は、ＷＬＡＮをＷＷＡＮと連携させるシステムにおける無線端末、基地局及びＷＬＡＮ装置に関する。
【背景技術】
【０００２】
近年、無線広域ネットワーク（ＷＷＡＮ）通信及び無線狭域ネットワーク（ＷＬＡＮ）通信の両通信方式に対応した無線端末の普及が進んでいる。そのような無線端末に対して高速・大容量の通信サービスを提供するために、ＷＷＡＮとＷＬＡＮとの間の連携を強化させるための技術が検討されている。
【先行技術文献】
【非特許文献】
【０００３】
【非特許文献１】３ＧＰＰ技術仕様書  「ＴＳ  ３６．３００  Ｖ１３．０．０」  ２０１５年６月
【発明の概要】
【０００４】
一つの実施形態に係る無線端末は、無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする。前記無線端末は、自無線端末の能力を示す端末能力情報をＷＷＡＮ基地局に送信する制御部を備える。前記制御部は、自無線端末のＷＬＡＮ媒体アクセス制御（ＭＡＣ）アドレスを前記能力情報に含める。
【０００５】
一つの実施形態に係る基地局は、無線広域ネットワーク（ＷＷＡＮ）に含まれる基地局である。前記基地局は、Ｘｗインターフェイスを介して、無線狭域ネットワーク（ＷＬＡＮ）に含まれるＷＬＡＮ装置に信号を送信する送信部と、前記ＷＷＡＮの通信及び前記ＷＬＡＮの通信を同時に用いるＷＷＡＮ・ＷＬＡＮアグリゲーションをサポートする無線端末とのＲＲＣ接続を行う制御部と、を備える。前記制御部は、前記ＷＬＡＮ装置と前記無線端末との間の認証処理に用いる認証情報を生成する。前記送信部は、前記ＷＷＡＮ・ＷＬＡＮアグリゲーションを開始するためのＷＬＡＮ追加要求を前記Ｘｗインターフェイス上で前記ＷＬＡＮ装置に送信する。前記ＷＬＡＮ追加要求は、前記Ｘｗインターフェイス上で前記無線端末を識別するための端末識別情報と、前記無線端末のＷＬＡＮ媒体アクセス制御（ＭＡＣ）アドレスと、前記認証情報と、を含む。
【０００６】
一つの実施形態に係る無線端末は、無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする。前記無線端末は、前記ＷＬＡＮに含まれるＷＬＡＮ装置に信号を送信する送信部と、前記ＷＬＡＮ装置と前記無線端末との間の認証処理に用いる認証情報を導出するための情報を含むＲＲＣメッセージを、前記ＷＷＡＮに含まれる基地局から受信する受信部と、前記ＲＲＣメッセージに含まれる前記情報に基づいて、前記認証情報を導出する制御部と、を備える。前記制御部は、前記認証情報を用いて前記ＷＬＡＮ装置との前記認証処理を行う。
【０００７】
一つの実施形態に係るＷＬＡＮ装置は、無線狭域ネットワーク（ＷＬＡＮ）に含まれるＷＬＡＮ装置である。前記ＷＬＡＮ装置は、無線広域ネットワーク（ＷＷＡＮ）の通信及び前記ＷＬＡＮの通信を同時に用いるＷＷＡＮ・ＷＬＡＮアグリゲーションをサポートする無線端末との通信に用いるイーサネットフレームを処理する制御部を備える。前記イーサネットフレームに含まれるサブネットワークアクセスプロトコル（ＳＮＡＰ）ヘッダのイーサタイプフィールドは、前記イーサネットフレームが搬送するデータが前記ＷＷＡＮ・ＷＬＡＮアグリゲーションにおけるデータであることを示す情報を含む。
【０００８】
一つの実施形態に係る無線端末は、無線広域ネットワーク（ＷＷＡＮ）の通信及び無線狭域ネットワーク（ＷＬＡＮ）の通信を同時に用いるＷＷＡＮ・ＷＬＡＮアグリゲーションをサポートする。前記無線端末は、前記ＷＬＡＮに含まれるＷＬＡＮ装置との通信に用いるイーサネットフレームを処理する制御部を備える。前記イーサネットフレームに含まれるサブネットワークアクセスプロトコル（ＳＮＡＰ）ヘッダのイーサタイプフィールドは、前記イーサネットフレームが搬送するデータが前記ＷＷＡＮ・ＷＬＡＮアグリゲーションにおけるデータであることを示す情報を含む。
【０００９】
一つの実施形態に係る無線端末は、無線広域ネットワーク（ＷＷＡＮ）との通信及び無線狭域ネットワーク（ＷＬＡＮ）との通信の両方の能力を有する。前記ＷＬＡＮには、ＷＬＡＮ媒体アクセス制御（ＭＡＣ）層よりも上位層に位置付けられる所定層のエンティティが含まれる。前記無線端末は、自無線端末がＷＷＡＮ基地局に接続した状態において前記ＷＬＡＮへのアクセスを行う際に、自無線端末の端末識別情報を前記所定層のエンティティに通知する制御部を備える。
【００１０】
一つの実施形態に係るＷＬＡＮ装置は、無線狭域ネットワーク（ＷＬＡＮ）に含まれるＷＬＡＮ装置である。前記ＷＬＡＮ装置は、ＷＬＡＮ媒体アクセス制御（ＭＡＣ）層よりも上位層に位置付けられる所定層のエンティティを含む制御部を備える。前記所定層のエンティティは、無線端末が前記ＷＬＡＮにアクセスする際に前記無線端末が前記所定層のエンティティに通知する端末識別情報に基づいて、前記無線端末を特定する。
【図面の簡単な説明】
【００１１】
【図１】第１実施形態乃至第４実施形態に係る通信システムの構成を示す図である。
【図２】ＬＴＥシステムにおける無線インターフェイスのプロトコルスタック図である。
【図３】ＵＥ（無線端末）のブロック図である。
【図４】ｅＮＢ（基地局）のブロック図である。
【図５】ＷＬＡＮ装置のブロック図である。
【図６】第１実施形態に係るＷＷＡＮ・ＷＬＡＮアグリゲーションを示す図である。
【図７】第１実施形態に係るＬＬＣヘッダを説明するための図である。
【図８】第１実施形態に係るＳＮＡＰヘッダを説明するための図である。
【図９】第１実施形態の動作パターン１を示すシーケンス図である。
【図１０】第１実施形態の動作パターン２を示すシーケンス図である。
【図１１】第２実施形態に係るＷＷＡＮ・ＷＬＡＮアグリゲーションを示す図である。
【図１２】第２実施形態に係るアダプテーション層制御ＰＤＵを説明するための図である。
【図１３】第２実施形態の動作パターン１乃至３を示すシーケンス図である。
【図１４】第３実施形態に係るＷＷＡＮ・ＷＬＡＮアグリゲーションを示す図である。
【図１５】第３実施形態に係る動作を示すシーケンス図である。
【図１６】第４実施形態に係るＵＥ・ＷＬＡＮ間の認証処理を示すシーケンス図である。
【図１７】第４実施形態の変更例を示すシーケンス図である。
【発明を実施するための形態】
【００１２】
［実施形態の概要］
実施形態に係る無線端末は、無線広域ネットワーク（ＷＷＡＮ）との通信及び無線狭域ネットワーク（ＷＬＡＮ）との通信の両方の能力を有する。前記ＷＬＡＮには、ＷＬＡＮ媒体アクセス制御（ＭＡＣ）層よりも上位層に位置付けられる所定層のエンティティが含まれる。前記無線端末は、自無線端末がＷＷＡＮ基地局に接続した状態において前記ＷＬＡＮへのアクセスを行う際に、自無線端末の端末識別情報を前記所定層のエンティティに通知する制御部を備える。
【００１３】
前記無線端末は、前記ＷＷＡＮの通信及び前記ＷＬＡＮの通信を同時に用いるＷＷＡＮ・ＷＬＡＮアグリゲーションの能力を有し、前記所定層のエンティティは、前記ＷＷＡＮ・ＷＬＡＮアグリゲーションにおいて前記無線端末宛てのデータが前記ＷＷＡＮ基地局から転送されるエンティティであってもよい。
【００１４】
前記端末識別情報は、前記ＷＷＡＮ基地局又は前記ＷＬＡＮから自無線端末に割り当てられた一時的な端末識別情報であってもよい。
【００１５】
前記制御部は、前記一時的な端末識別情報を前記ＷＷＡＮ基地局から取得する処理と、自無線端末がＷＷＡＮ基地局に接続した状態において前記ＷＬＡＮへのアクセスを行う際に、前記一時的な端末識別情報を前記所定層のエンティティに通知する処理と、を行ってもよい。
【００１６】
前記所定層のエンティティは、ＷＬＡＮ論理リンク制御（ＬＬＣ）エンティティであり、前記制御部は、自無線端末が前記ＷＬＡＮに送信するＬＬＣヘッダ及び／又はサブネットワークアクセスプロトコル（ＳＮＡＰ）ヘッダに前記端末識別情報を含めることにより、前記端末識別情報を前記ＷＬＡＮ  ＬＬＣエンティティに通知してもよい。
【００１７】
前記所定層のエンティティは、ＷＷＡＮ規格により規定されるアダプテーション層エンティティであり、前記制御部は、自無線端末が前記ＷＬＡＮに送信するアダプテーション層制御プロトコルデータユニット（ＰＤＵ）に前記端末識別情報を含めることにより、前記端末識別情報を前記アダプテーション層エンティティに通知してもよい。
【００１８】
実施形態に係るＷＬＡＮ装置は、無線狭域ネットワーク（ＷＬＡＮ）に含まれる。前記ＷＬＡＮ装置は、ＷＬＡＮ媒体アクセス制御（ＭＡＣ）層よりも上位層に位置付けられる所定層のエンティティを含む制御部を備える。前記所定層のエンティティは、無線端末が前記ＷＬＡＮにアクセスする際に前記無線端末が前記所定層のエンティティに通知する端末識別情報に基づいて、前記無線端末を特定する。
【００１９】
実施形態に係る無線端末は、無線広域ネットワーク（ＷＷＡＮ）との通信及び無線狭域ネットワーク（ＷＬＡＮ）との通信の両方の能力を有する。前記無線端末は、自無線端末の能力に関する端末能力情報をＷＷＡＮ基地局に送信する処理を行う制御部を備える。前記制御部は、自無線端末に固定的に割り当てられた端末識別情報を前記能力情報に含める。
【００２０】
前記端末識別情報は、自無線端末のＷＬＡＮ媒体アクセス制御（ＭＡＣ）アドレスであってもよい。
【００２１】
前記制御部は、前記ＷＷＡＮの通信及び前記ＷＬＡＮの通信を同時に用いるＷＷＡＮ・ＷＬＡＮアグリゲーションの能力を自無線端末が有する場合に、前記端末識別情報を前記端末能力情報に含めてもよい。
【００２２】
実施形態に係るＷＬＡＮ装置は、無線狭域ネットワーク（ＷＬＡＮ）に含まれる。前記ＷＬＡＮ装置は、無線広域ネットワーク（ＷＷＡＮ）基地局に接続している無線端末との認証処理に用いる認証情報と前記無線端末の端末識別情報とを記憶する制御部を備える。前記制御部は、前記無線端末が自ＷＬＡＮ装置にアクセスし、かつ前記認証情報を用いた前記認証処理に成功した場合、前記無線端末に前記端末識別情報を対応付ける。
【００２３】
前記認証情報は、前記ＷＷＡＮ基地局から提供されるＰＭＫ（Ｐａｉｒｗｉｓｅ  Ｍａｓｔｅｒ  Ｋｅｙ）、又は自ＷＬＡＮ装置が生成したＰＭＫであってもよい。
【００２４】
前記端末識別情報は、前記ＷＬＡＮ装置と前記ＷＷＡＮ基地局との間のインターフェイス上で前記無線端末を識別するための端末識別情報であってもよい。
【００２５】
［第１実施形態］
以下において、第１実施形態について説明する。
【００２６】
第１実施形態において、ＷＷＡＮシステムがＬＴＥ（Ｌｏｎｇ  Ｔｅｒｍ  Ｅｖｏｌｕｔｉｏｎ）システムである一例を説明する。ＬＴＥシステムは、標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において仕様が策定されているシステムである。
【００２７】
（システム構成）
図１は、第１実施形態に係る通信システムの構成を示す図である。
【００２８】
図１に示すように、第１実施形態に係る通信システムは、ＵＥ（Ｕｓｅｒ  Ｅｑｕｉｐｍｅｎｔ）１００、ｅＮＢ（ｅｖｏｌｖｅｄ  Ｎｏｄｅ−Ｂ）２００、ＷＬＡＮアクセスポイント（ＷＬＡＮ  ＡＰ）３００、ＷＴ（ＷＬＡＮ  Ｔｅｒｍｉｎａｔｉｏｎ）４００、及びＥＰＣ（Ｅｖｏｌｖｅｄ  Ｐａｃｋｅｔ  Ｃｏｒｅ）５００を備える。ＵＥ１００は、無線端末に相当する。ｅＮＢ２００は、ＷＷＡＮ基地局に相当する。ｅＮＢ２００及びＥＰＣ５００は、ＷＷＡＮ１０（ＬＴＥネットワーク）を構成する。ＷＬＡＮ  ＡＰ３００及びＷＴ４００は、ＷＬＡＮ２０を構成する。
【００２９】
ＵＥ１００は、ＷＷＡＮ通信（ＬＴＥ通信）及びＷＬＡＮ通信の両通信方式に対応した移動型の装置である。ＵＥ１００は、ＷＷＡＮ・ＷＬＡＮアグリゲーションの能力を有する。ＵＥ１００の構成及びＷＷＡＮ・ＷＬＡＮアグリゲーションについては後述する。
【００３０】
ｅＮＢ２００は、１又は複数のセルを管理し、自セルに接続したＵＥ１００とのＬＴＥ通信を行う装置である。ＵＥ１００の構成については後述する。
【００３１】
ｅＮＢ２００は、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を構成する。ｅＮＢ２００は、Ｘ２インターフェイスを介して隣接ｅＮＢと接続される。ｅＮＢ２００は、無線リソース管理（ＲＲＭ）機能、ユーザデータ（以下、単に「データ」という）のルーティング機能、モビリティ制御・スケジューリングのための測定制御機能等を有する。ｅＮＢ２００の構成については後述する。なお、「セル」は、無線通信エリア（カバレッジ）の最小単位を示す用語として用いられる他に、ＵＥ１００との無線通信を行う機能を示す用語としても用いられる。
【００３２】
ＷＬＡＮ  ＡＰ３００は、自ＡＰに接続したＵＥ１００とのＷＬＡＮ通信を行う装置である。図１において、ｅＮＢ２００のセルカバレッジ内に４つのＷＬＡＮ  ＡＰ３００−１乃至３００−４が設けられる一例を示している。なお、ｅＮＢ２００がＷＬＡＮ  ＡＰの機能も有していてもよい。そのようなシナリオは、Ｃｏｌｌｏｃａｔｅｄシナリオと称される。
【００３３】
ＷＴ４００は、ｅＮＢ２００との直接的なインターフェイスであるＸｗインターフェイスを終端する装置である。ＷＴ４００は、複数のＷＬＡＮ  ＡＰ３００を収容することができる。ＷＴ４００は、１つのＷＬＡＮ  ＡＰ３００のみを収容してもよい。図１において、ＷＴ４００−１が２つのＷＬＡＮ  ＡＰ３００−１及び３００−２を収容し、かつ、ＷＴ４００−２が２つのＷＬＡＮ  ＡＰ３００−３及び３００−４を収容する一例を示している。
【００３４】
また、ＷＬＡＮ  ＡＰ３００−１及び３００−２は、ＷＬＡＮ  ＡＰグループＡを構成する。ＷＬＡＮ  ＡＰ３００−３及び３００−４は、ＷＬＡＮ  ＡＰグループＢを構成する。図１において、ＷＬＡＮ  ＡＰグループが、同一のＷＴ４００に収容されるＷＬＡＮ  ＡＰ３００により構成される一例を示している。しかしながら、ＷＬＡＮ  ＡＰグループは、異なるＷＴ４００に収容されるＷＬＡＮ  ＡＰ３００により構成されてもよい。ここで、ＷＬＡＮ  ＡＰグループとは、ｅＮＢ２００の指示に依存せずにＷＬＡＮ  ＡＰ３００間の切り替え制御をＵＥ１００が自律的に行うことができるグループである。ＵＥ１００は、ＷＬＡＮモビリティ制御機能を用いて、ｅＮＢ２００に透過的に、同一のＷＬＡＮ  ＡＰグループ内の一のＷＬＡＮ  ＡＰから他のＷＬＡＮ  ＡＰへＷＬＡＮ通信を切り替えることができる。一方、異なるＷＬＡＮ  ＡＰグループ間の切り替えについてはｅＮＢ２００が制御する。
【００３５】
ＥＰＣ５００は、Ｓ１インターフェイスを介してｅＮＢ２００と接続される。ＥＰＣ５００は、コアネットワークに相当する。ＥＰＣ５００は、ＭＭＥ（Ｍｏｂｉｌｉｔｙ  Ｍａｎａｇｅｍｅｎｔ  Ｅｎｔｉｔｙ）及びＳ−ＧＷ（Ｓｅｒｖｉｎｇ−Ｇａｔｅｗａｙ）を含む。ＭＭＥは、ＵＥ１００に対する各種モビリティ制御等を行う。Ｓ−ＧＷは、データの転送制御を行う。
【００３６】
（ＬＴＥプロトコル）
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３７】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３８】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３９】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４０】
ＰＤＣＰ層は、ヘッダ圧縮・伸張、及び暗号化・復号化を行う。
【００４１】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００４２】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４３】
（無線端末の構成）
図３は、ＵＥ１００（無線端末）のブロック図である。図３に示すように、ＵＥ１００は、ＬＴＥ通信部（ＷＷＡＮ通信部）１１０、ＷＬＡＮ通信部１２０、及び制御部１３０を備える。
【００４４】
ＬＴＥ通信部１１０は、制御部１３０の制御下でＬＴＥ通信を行う。ＬＴＥ通信部１１０は、ＬＴＥプロトコルの一部を実行してもよい。ＬＴＥ通信部１１０は、アンテナ、送信機、及び受信機を含む。送信機は、制御部１３０が出力するベースバンド信号（送信信号）をＬＴＥ無線信号に変換してアンテナから送信する。受信機は、アンテナが受信するＬＴＥ無線信号をベースバンド信号（受信信号）に変換して制御部１３０に出力する。なお、ＬＴＥ通信は、ライセンスバンドにおいて行われることが一般的である。
【００４５】
ＷＬＡＮ通信部１２０は、制御部１３０の制御下でＷＬＡＮ通信を行う。ＷＬＡＮ通信部１２０は、ＷＬＡＮプロトコルの一部を実行してもよい。ＷＬＡＮ通信部１２０は、アンテナ、送信機、及び受信機を含む。送信機は、制御部１３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部１３０に出力する。なお、ＷＬＡＮ通信は、アンライセンスバンドにおいて行われることが一般的である。
【００４６】
制御部１３０は、ＵＥ１００における各種の制御を行う。制御部１３０は、ＬＴＥプロトコルの一部を実行してもよいし、ＷＬＡＮプロトコルの一部を実行してもよい。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００４７】
（基地局の構成）
図４は、ｅＮＢ２００（基地局）のブロック図である。図４に示すように、ｅＮＢ２００は、ＬＴＥ通信部（ＷＷＡＮ通信部）２１０、制御部２３０、及びネットワーク通信部２４０を備える。但し、Ｃｏｌｌｏｃａｔｅｄシナリオの場合、ｅＮＢ２００は、ＷＬＡＮ通信部２２０を備えていてもよい。
【００４８】
ＬＴＥ通信部２１０は、制御部２３０の制御下でＬＴＥ通信を行う。ＬＴＥ通信部２１０は、ＬＴＥプロトコルの一部を実行してもよい。ＬＴＥ通信部２１０は、アンテナ、送信機、及び受信機を含む。送信機は、制御部２３０が出力するベースバンド信号（送信信号）をＬＴＥ無線信号に変換してアンテナから送信する。受信機は、アンテナが受信するＬＴＥ無線信号をベースバンド信号（受信信号）に変換して制御部２３０に出力する。
【００４９】
ＷＬＡＮ通信部２２０は、制御部２３０の制御下でＷＬＡＮ通信を行う。ＷＬＡＮ通信部２２０は、ＷＬＡＮプロトコルの一部を実行してもよい。ＷＬＡＮ通信部２２０は、アンテナ、送信機、及び受信機を含む。送信機は、制御部２３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部２３０に出力する。
【００５０】
制御部２３０は、ｅＮＢ２００における各種の制御を行う。制御部２３０は、ＬＴＥプロトコルの一部を実行してもよいし、ＷＬＡＮプロトコルの一部を実行してもよい。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵと、を含んでもよい。プロセッサは、後述する各種の処理を実行する。
【００５１】
ネットワーク通信部２４０は、Ｘ２インターフェイスを介して隣接ｅＮＢ２００と接続され、Ｓ１インターフェイスを介してＥＰＣ５００（ＭＭＥ／Ｓ−ＧＷ）と接続され、Ｘｗインターフェイスを介してＷＴ４００と接続される。ネットワーク通信部２４０は、Ｘ２インターフェイス上で行う通信、Ｓ１インターフェイス上で行う通信、Ｘｗインターフェイス上で行う通信等に用いられる。
【００５２】
（ＷＬＡＮ装置の構成）
図５は、ＷＬＡＮ装置２５のブロック図である。ＷＬＡＮ装置２５は、ＷＴ４００である。ＷＬＡＮ装置２５は、ＷＴの機能を有するＷＬＡＮ  ＡＰ３００であってもよい。
【００５３】
図５に示すように、ＷＬＡＮ装置２５は、ＷＬＡＮ通信部２５１、制御部２５２、及びネットワーク通信部２５３を備える。但し、ＷＬＡＮ装置２５は、ＷＬＡＮ通信部２５１を備えていなくてもよい。
【００５４】
ＷＬＡＮ通信部２５１は、制御部２５２の制御下でＷＷＡＮ通信を行う。ＷＬＡＮ通信部２５１は、ＷＬＡＮプロトコルの一部を実行してもよい。ＷＬＡＮ通信部２５１は、アンテナ、送信機、及び受信機を含む。送信機は、制御部２５２が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部２５２に出力する。
【００５５】
制御部２５２は、ＷＬＡＮ装置２５における各種の制御を行う。制御部２５２は、ＷＬＡＮプロトコルの一部を実行してもよい。制御部２５２は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵと、を含んでもよい。プロセッサは、後述する各種の処理を実行する。
【００５６】
ネットワーク通信部２５３は、Ｘｗインターフェイスを介してｅＮＢ２００と接続され、Ｘｗインターフェイス上で行う通信等に用いられる。
【００５７】
（第１実施形態に係るＷＷＡＮ・ＷＬＡＮアグリゲーション）
図６は、第１実施形態に係るＷＷＡＮ・ＷＬＡＮアグリゲーションを示す図である。ここでは下りリンクのＷＷＡＮ・ＷＬＡＮアグリゲーションを説明するが、上りリンクにもＷＷＡＮ・ＷＬＡＮアグリゲーションを適用可能である。
【００５８】
図６に示すように、ＵＥ１００は、ＷＷＡＮ１０（ｅＮＢ２００）との通信及びＷＬＡＮ２０（ＷＬＡＮ装置２５）との通信を同時に用いるＬＴＥ・ＷＬＡＮアグリゲーションの能力を有する。図６において、ＵＥ１００のベアラ＃１のデータは、ｅＮＢ２００からＵＥ１００に送信される。これに対し、ＵＥ１００のベアラ＃２のデータの少なくとも一部は、ｅＮＢ２００からＷＬＡＮ装置２５を経由してＵＥ１００に送信される。
【００５９】
ｅＮＢ２００は、ベアラ＃１に対応するＰＤＣＰ層のエンティティ（ＰＤＣＰエンティティ）＃１と、ベアラ＃２に対応するＰＤＣＰエンティティ＃２と、を備える。
【００６０】
ＰＤＣＰエンティティ＃１は、Ｓ−ＧＷからＳ１インターフェイス上で転送されるベアラ＃１のデータ（ＰＤＣＰ  ＳＤＵ）を処理し、処理後のデータ（ＰＤＣＰ  ＰＤＵ）をＲＬＣ層のエンティティ（ＲＬＣエンティティ）＃１に引き渡す。ＲＬＣエンティティ＃１は、ＰＤＣＰエンティティ＃１からのデータをＲＬＣ  ＳＤＵとして取得し、処理後のデータ（ＲＬＣ  ＰＤＵ）をＬＴＥ  ＭＡＣ層のエンティティ（ＬＴＥ  ＭＡＣエンティティ）に引き渡す。ＬＴＥ  ＭＡＣエンティティは、ＲＬＣエンティティ＃１からのデータをＭＡＣ  ＳＤＵとして取得し、処理後のデータ（ＭＡＣ  ＰＤＵ）を物理層のエンティティ（不図示）を介してＵＥ１００に送信する。
【００６１】
ＰＤＣＰエンティティ＃２は、Ｓ−ＧＷからＳ１インターフェイス上で転送されるベアラ＃２のデータ（ＰＤＣＰ  ＳＤＵ）を処理し、処理後のデータ（ＰＤＣＰ  ＰＤＵ）の少なくとも一部をＸｗインターフェイス上でＷＬＡＮ装置２５に転送する。Ｘｗインターフェイス上において、ＵＥ１００のデータはＧＴＰ−Ｕ（ＧＰＲＳ  Ｔｕｎｎｅｌｉｎｇ  Ｐｒｏｔｏｃｏｌ  ｆｏｒ  Ｕｓｅｒ  ｐｌａｎｅ）を用いて転送されてもよい。但し、ＧＴＰ−Ｕに代えてＩＰトンネリングを用いてもよい。残りのＰＤＣＰ  ＰＤＵは、ＲＬＣエンティティ＃２に引き渡され、ベアラ＃１と同様の処理を経てＵＥ１００に送信される。
【００６２】
ＷＬＡＮ装置２５は、ＷＬＡＮ論理リンク制御（ＬＬＣ：  Ｌｏｇｉｃａｌ  Ｌｉｎｋ  Ｃｏｎｔｒｏｌ）層のエンティティ（ＷＬＡＮ  ＬＬＣエンティティ）及びＷＬＡＮ媒体アクセス制御（ＭＡＣ）層のエンティティ（ＷＬＡＮ  ＭＡＣエンティティ）を備える。ＷＬＡＮ  ＬＬＣ層は、ＷＬＡＮ  ＭＡＣ層よりも上位層に位置付けられる。第１実施形態において、ＷＬＡＮ  ＬＬＣエンティティは、所定層のエンティティに相当する。所定層のエンティティは、ＷＷＡＮ・ＷＬＡＮアグリゲーションにおいてＵＥ１００宛てのデータがｅＮＢ２００から転送されるエンティティである。
【００６３】
ＷＬＡＮ  ＬＬＣエンティティは、ｅＮＢ２００から転送されたベアラ＃２のデータを処理し、処理後のデータをＷＬＡＮ  ＭＡＣエンティティに引き渡す。ＷＷＡＮ  ＭＡＣエンティティは、ＷＬＡＮ  ＬＬＣエンティティからのデータを取得し、処理後のデータを物理層のエンティティ（不図示）を介してＵＥ１００に送信する。
【００６４】
（第１実施形態に係る動作）
以下において、第１実施形態に係る動作について説明する。
【００６５】
ＷＷＡＮ・ＷＬＡＮアグリゲーションを開始する際に、ＵＥ１００は、ｅＮＢ２００に接続した状態（すなわち、ＲＲＣコネクティッドモード）において、ＷＬＡＮ２０へのアクセス（初期アクセス）を行う。ここで、ＷＬＡＮ装置２５のＷＬＡＮ  ＬＬＣエンティティは、ｅＮＢ２００とのＧＴＰ−Ｕに用いるＵＥ識別情報（以下、「ネットワークＩＤ」）等を、ＷＬＡＮ２０にアクセスしてきたＵＥ１００と対応付ける必要がある。しかしながら、ＷＬＡＮ２０にアクセスしてきたＵＥ１００をＷＬＡＮ  ＬＬＣエンティティが特定する方法について、現状、不明確である。
【００６６】
そこで、ＵＥ１００は、自ＵＥ１００がｅＮＢ２００に接続した状態においてＷＬＡＮ２０へのアクセスを行う際に、自ＵＥ１００の端末識別情報（ＵＥ識別情報）をＷＬＡＮ  ＬＬＣエンティティに通知する。第１実施形態において、ＵＥ１００は、自ＵＥ１００がＷＬＡＮ２０に送信するＬＬＣヘッダ及び／又はサブネットワークアクセスプロトコル（ＳＮＡＰ）ヘッダにＵＥ識別情報を含めることにより、ＵＥ識別情報をＷＬＡＮ  ＬＬＣエンティティに通知する。これにより、ＷＬＡＮ  ＬＬＣエンティティがＵＥ識別情報に基づいてＵＥ１００を特定することができる。
【００６７】
ＵＥ識別情報は、ｅＮＢ２００又はＷＬＡＮ２０から自ＵＥ１００に割り当てられた一時的なＵＥ識別情報である。ＵＥ１００は、一時的なＵＥ識別情報をｅＮＢ２００から取得する処理と、自ＵＥ１００がｅＮＢ２００に接続した状態においてＷＬＡＮ２０へのアクセスを行う際に、一時的なＵＥ識別情報をＷＬＡＮ  ＬＬＣエンティティに通知する処理と、を行う。ｅＮＢ２００からＵＥ１００に割り当てられる一時的なＵＥ識別情報は、例えばセル無線ネットワーク一時識別子（Ｃ−ＲＮＴＩ）である。また、ＷＬＡＮ２０からＵＥ１００に割り当てられる一時的なＵＥ識別情報は、ＷＬＡＮ無線ネットワーク一時識別子（Ｗ−ＲＮＴＩ）と称されてもよい。
【００６８】
（１）ＬＬＣヘッダ及びＳＮＡＰヘッダ
図７は、ＬＬＣヘッダを説明するための図である。ＬＬＣは、ＩＥＥＥ規格８０２．２において規定されるプロトコルである。
【００６９】
図７に示すように、ＵＥ１００は、ＭＡＣフレームをＷＬＡＮ２０に送信する。ＭＡＣフレームは、イーサネット（登録商標、以下同じ）フレームと称されてもよい。ＭＡＣフレームは、ＩＥＥＥ規格８０２．３において規定されるＭＡＣヘッダ（イーサネットヘッダ）と、ＩＥＥＥ規格８０２．２において規定されるＬＬＣヘッダと、データと、ＦＳＣとを含む。但し、ＭＡＣヘッダ（イーサネットヘッダ）に代えてＩＥＥＥ８０２．１１ヘッダを用いてもよい。ＭＡＣヘッダ（イーサネットヘッダ）は、送信先ＭＡＣアドレス、送信元ＭＡＣアドレス、及びタイプ／長さの各フィールドを含む。
【００７０】
ＬＬＣヘッダは、１バイトの送信先サービスアクセスポイント（ＤＳＡＰ）フィールド、１バイトの送信元サービスアクセスポイント（ＳＳＡＰ）フィールド、及び１バイトの制御（ＣＴＬ）フィールドを含む。サービスアクセスポイント（ＳＡＰ）とは、各層のエンティティ間でサービスをやり取りする際の窓口なる点を示す用語である。ＣＴＬフィールドには、コマンド、応答、シーケンス番号情報が含まれる。
【００７１】
ＳＳＡＰフィールドは、Ｕビット及びＣ／Ｒビットを含む。Ｕビットは、ＤＳＡＰフィールド中のアドレスがＩＥＥＥで定義されたもの「１」、ユーザ定義のもの「０」の何れかを示す。Ｃ／Ｒビットは、ＳＡＰがグループアドレスである「１」、個別のアドレスである「０」の何れかを示す。
【００７２】
ＤＳＡＰフィールドは、Ｕビット及びＩ／Ｇビットを含む。Ｕビットは、ＳＳＡＰフィールド中のアドレスがＩＥＥＥで定義されたもの「１」、ユーザ定義のもの「０」の何れかを示す。Ｉ／Ｇビットは、データがコマンドであるか応答であるかを示す。
【００７３】
図８は、第１実施形態に係るＳＮＡＰヘッダを説明するための図である。ＳＮＡＰは、ＩＥＥＥ規格８０２．２において規定されるプロトコルである。
【００７４】
図８に示すように、ＵＥ１００は、図７と同様なＭＡＣフレームをＷＬＡＮ２０に送信する。但し、図８に示すＭＡＣフレームは、ＳＮＡＰヘッダをさらに含む点で図７とは異なる。ＳＮＡＰヘッダは、３バイトのＯＵＩ（Ｏｒｇａｎｉｚａｔｉｏｎ  Ｕｎｉｑｕｅ  Ｉｄｅｎｔｉｆｉｅｒ）フィールドと、２バイトのタイプフィールドと、を含む。ＯＵＩには、ローカル割り当てが可能な識別子が含まれる。タイプフィールドには、上位層のプロトコルの種類（イーサネット等）を示す情報が含まれる。
【００７５】
（２）動作パターン１
図９は、第１実施形態の動作パターン１を示すシーケンス図である。動作パターン１において、一時的なＵＥ識別情報は、Ｃ−ＲＮＴＩである。本シーケンスに先立ち、ｅＮＢ２００は、ＵＥ１００に割り当てたＣ−ＲＮＴＩを既にＵＥ１００に通知している。
【００７６】
図９に示すように、ステップＳ１０１において、ＵＥ１００は、ＷＬＡＮ２０（ＷＬＡＮ  ＡＰ３００）に対する測定結果を含む測定報告（Ｍｅａｓｕｒｅｍｅｎｔ  Ｒｅｐｏｒｔ）をｅＮＢ２００に送信する。ｅＮＢ２００は、測定報告（Ｍｅａｓｕｒｅｍｅｎｔ  Ｒｅｐｏｒｔ）に基づいて、ＷＷＡＮ・ＷＬＡＮアグリゲーションを開始することを決定する。ｅＮＢ２００は、測定報告（Ｍｅａｓｕｒｅｍｅｎｔ  Ｒｅｐｏｒｔ）以外の判断基準に基づいて当該決定を行なってもよい。
【００７７】
ステップＳ１０２において、ｅＮＢ２００は、ＷＷＡＮ・ＷＬＡＮアグリゲーションを開始するための追加要求（ＷＴ  Ａｄｄｉｔｉｏｎ  Ｒｅｑｕｅｓｔ）をＸｗインターフェイス上でＷＬＡＮ装置２５に送信する。追加要求（ＷＴ  Ａｄｄｉｔｉｏｎ  Ｒｅｑｕｅｓｔ）は、ＵＥ１００のコンテキスト情報（ＵＥ  Ｃｏｎｔｅｘｔ）を含む。ＵＥ  Ｃｏｎｔｅｘｔは、ＵＥ１００の測定報告（Ｍｅａｓｕｒｅｍｅｎｔ  Ｒｅｐｏｒｔ）に基づく測定結果（Ｍｅａｓｕｒｅｍｅｎｔ  Ｒｅｓｕｌｔ）、追加・変更すべきＤＲＢ（Ｄａｔａ  Ｒａｄｉｏ  Ｂｅａｒｅｒ）のリスト（ＴｏＡｄｄＭｏｄリスト）、追加・変更すべきＳＣｅｌｌ（ＷＬＡＮセル）のリスト（ＴｏＡｄｄＭｏｄリスト）、ＵＥ能力情報（ＵＥ  Ｃａｐａｂｉｌｉｔｙ）等を含む。ＵＥ  Ｃｏｎｔｅｘｔは、ＬＴＥ側の無線設定（Ｒａｄｉｏ  Ｒｅｓｏｕｒｃｅ  Ｃｏｎｆｉｇ  Ｄｅｄｉｃａｔｅｄ）、追加・変更すべきＳＣｅｌｌ（ＬＴＥのＳＣｅｌｌ）のリスト（ＴｏＡｄｄＭｏｄ）、送信パワーの情報等を含んでもよい。
【００７８】
また、追加要求（ＷＴ  Ａｄｄｉｔｉｏｎ  Ｒｅｑｕｅｓｔ）は、ｅＮＢ２００がＵＥ１００に割り当て済みのＣ−ＲＮＴＩを含む。ＷＬＡＮ装置２５は、追加要求（ＷＴ  Ａｄｄｉｔｉｏｎ  Ｒｅｑｕｅｓｔ）を受信すると、ＵＥ１００のＵＥ  Ｃｏｎｔｅｘｔ及びＣ−ＲＮＴＩを記憶する。また、ＷＬＡＮ装置２５は、Ｘｗインターフェイス上で用いるＵＥ１００のネットワークＩＤの割り当てを行う。ネットワークＩＤは、「Ｘｗ  ＡＰ  ＵＥ  ＩＤ」と称されてもよい。
【００７９】
ステップＳ１０３において、ＷＬＡＮ装置２５は、追加要求（ＷＴ  Ａｄｄｉｔｉｏｎ  Ｒｅｑｕｅｓｔ）に対する肯定応答（ＷＴ  Ａｄｄｉｔｉｏｎ  Ｒｅｓｐｏｎｓｅ）をＸｗインターフェイス上でｅＮＢ２００に送信する。肯定応答（ＷＴ  Ａｄｄｉｔｉｏｎ  Ｒｅｓｐｏｎｓｅ）は、ＷＬＡＮ装置２５がＵＥ１００に割り当てたネットワークＩＤを含む。ｅＮＢ２００は、肯定応答（ＷＴ  Ａｄｄｉｔｉｏｎ  Ｒｅｓｐｏｎｓｅ）を受信する。
【００８０】
ステップＳ１０４において、ｅＮＢ２００は、ＷＷＡＮ・ＷＬＡＮアグリゲーションを開始するためのＷＬＡＮアクセスを要求するメッセージをＵＥ１００に送信する。ＵＥ１００は、当該メッセージを受信する。当該メッセージは、例えばＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」である。「ＲＲＣ  Ｃｏｎｎｅｃｔｉｏｎ  Ｒｅｃｏｎｆｉｇｕｒａｔｉｏｎ」は、ＵＥ１００がアクセスするべきＷＬＡＮ装置２５を示す情報を含んでもよい。
【００８１】
ステップＳ１０５において、ＵＥ１００は、「ＲＲＣ  Ｃｏｎｎｅｃｔｉｏｎ  Ｒｅｃｏｎｆｉｇｕｒａｔｉｏｎ」に対する肯定応答（ＲＲＣ  Ｃｏｎｎｅｃｔｉｏｎ  Ｒｅｃｏｎｆｉｇｕｒａｔｉｏｎ  Ｃｏｍｐｌｅｔｅ）をｅＮＢ２００に送信する。ｅＮＢ２００は、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信する。
【００８２】
ステップＳ１０６において、ＵＥ１００は、「ＲＲＣ  Ｃｏｎｎｅｃｔｉｏｎ  Ｒｅｃｏｎｆｉｇｕｒａｔｉｏｎ」に基づいて、ＷＬＡＮ２０へのアクセス（Ｉｎｉｔｉａｌ  Ａｃｃｅｓｓ）を行う。ここで、ＵＥ１００は、ＬＬＣヘッダ及び／又はＳＮＡＰヘッダにＣ−ＲＮＴＩを含める。具体的には、Ｃ−ＲＮＴＩは２バイトであるため、ＵＥ１００は、ＬＬＣヘッダ中のＳＳＡＰフィールド（１バイト）及びＤＳＡＰフィールド（１バイト）にＣ−ＲＮＴＩを含める。この場合、上記Ｕビットが「０」となるようにＣ−ＲＮＴＩを割り当てなければならない。或いは、ＵＥ１００は、ＳＮＡＰヘッダ中のＯＵＩフィールドにＣ−ＲＮＴＩを含める。
【００８３】
ＷＬＡＮ装置２５のＷＬＡＮ  ＬＬＣエンティティは、ＬＬＣヘッダ及び／又はＳＮＡＰヘッダに含まれるＣ−ＲＮＴＩを取得し、Ｃ−ＲＮＴＩに基づいて、ＷＬＡＮ２０にアクセスしたＵＥ１００を特定する。具体的には、ＷＬＡＮ  ＬＬＣエンティティは、ステップＳ１０２でｅＮＢ２００から通知されたＣ−ＲＮＴＩと、ＬＬＣヘッダ及び／又はＳＮＡＰヘッダに含まれるＣ−ＲＮＴＩとが一致すると判断する。
【００８４】
ステップＳ１０７において、ＷＬＡＮ装置２５は、特定したＵＥ１００に対してＵＥ  Ｃｏｎｔｅｘｔ及び／又はネットワークＩＤ（ＮＷ  ＩＤ）を対応付ける。
【００８５】
ステップＳ１０８において、ＷＬＡＮ装置２５は、特定したＵＥ１００のＷＬＡＮ  ＭＡＣアドレスをさらに対応付けてもよい。
【００８６】
ステップＳ１０９において、ＷＬＡＮ装置２５は、ステップＳ１０７（及びステップＳ１０８）における対応付けの結果を用いて、ｅＮＢ２００から転送されるＵＥ１００宛てのデータをＵＥ１００に送信する。
【００８７】
（２）動作パターン２
図１０は、第１実施形態の動作パターン２を示すシーケンス図である。動作パターン２において、一時的なＵＥ識別情報は、Ｗ−ＲＮＴＩである。
【００８８】
図１０に示すように、ステップＳ１１１において、ＵＥ１００は、ＷＬＡＮ２０（ＷＬＡＮ  ＡＰ３００）に対する測定結果を含む測定報告（Ｍｅａｓｕｒｅｍｅｎｔ  Ｒｅｐｏｒｔ）をｅＮＢ２００に送信する。ｅＮＢ２００は、測定報告（Ｍｅａｓｕｒｅｍｅｎｔ  Ｒｅｐｏｒｔ）に基づいて、ＷＷＡＮ・ＷＬＡＮアグリゲーションを開始することを決定する。ｅＮＢ２００は、測定報告（Ｍｅａｓｕｒｅｍｅｎｔ  Ｒｅｐｏｒｔ）以外の判断基準に基づいて当該決定を行なってもよい。
【００８９】
ステップＳ１１２において、ｅＮＢ２００は、ＷＷＡＮ・ＷＬＡＮアグリゲーションを開始するための追加要求（ＷＴ  Ａｄｄｉｔｉｏｎ  Ｒｅｑｕｅｓｔ）をＸｗインターフェイス上でＷＬＡＮ装置２５に送信する。追加要求（ＷＴ  Ａｄｄｉｔｉｏｎ  Ｒｅｑｕｅｓｔ）は、ＵＥ１００のコンテキスト情報（ＵＥ  Ｃｏｎｔｅｘｔ）を含む。ＷＬＡＮ装置２５は、追加要求（ＷＴ  Ａｄｄｉｔｉｏｎ  Ｒｅｑｕｅｓｔ）を受信すると、ＵＥ１００のＵＥ  Ｃｏｎｔｅｘｔを記憶する。
【００９０】
ステップＳ１１３において、ＷＬＡＮ装置２５は、Ｗ−ＲＮＴＩをＵＥ１００に割り当てる。また、ＷＬＡＮ装置２５は、Ｘｗインターフェイス上で用いるＵＥ１００のネットワークＩＤの割り当てを行う。ネットワークＩＤは、「Ｘｗ  ＡＰ  ＵＥ  ＩＤ」と称されてもよい。
【００９１】
ステップＳ１１４において、ＷＬＡＮ装置２５は、追加要求（ＷＴ  Ａｄｄｉｔｉｏｎ  Ｒｅｑｕｅｓｔ）に対する肯定応答（ＷＴ  Ａｄｄｉｔｉｏｎ  Ｒｅｓｐｏｎｓｅ）をＸｗインターフェイス上でｅＮＢ２００に送信する。肯定応答（ＷＴ  Ａｄｄｉｔｉｏｎ  Ｒｅｓｐｏｎｓｅ）は、ＷＬＡＮ装置２５がＵＥ１００に割り当てたＷ−ＲＮＴＩ及び「Ｘｗ  ＡＰ  ＵＥ  ＩＤ」を含む。ｅＮＢ２００は、肯定応答（ＷＴ  Ａｄｄｉｔｉｏｎ  Ｒｅｓｐｏｎｓｅ）を受信する。
【００９２】
ステップＳ１１５において、ｅＮＢ２００は、ＷＷＡＮ・ＷＬＡＮアグリゲーションを開始するためのＷＬＡＮアクセスを要求するメッセージをＵＥ１００に送信する。ＵＥ１００は、当該メッセージを受信する。当該メッセージは、例えばＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」である。「ＲＲＣ  Ｃｏｎｎｅｃｔｉｏｎ  Ｒｅｃｏｎｆｉｇｕｒａｔｉｏｎ」は、ＷＬＡＮ装置２５がＵＥ１００に割り当てたＷ−ＲＮＴＩを含む。或いは、「ＲＲＣ  Ｃｏｎｎｅｃｔｉｏｎ  Ｒｅｃｏｎｆｉｇｕｒａｔｉｏｎ」は、「Ｘｗ  ＡＰ  ＵＥ  ＩＤ」を含んでもよい。なお、「ＲＲＣ  Ｃｏｎｎｅｃｔｉｏｎ  Ｒｅｃｏｎｆｉｇｕｒａｔｉｏｎ」は、ＵＥ１００がアクセスするべきＷＬＡＮ装置２５を示す情報を含んでもよい。
【００９３】
ステップＳ１１６において、ＵＥ１００は、「ＲＲＣ  Ｃｏｎｎｅｃｔｉｏｎ  Ｒｅｃｏｎｆｉｇｕｒａｔｉｏｎ」に対する肯定応答（ＲＲＣ  Ｃｏｎｎｅｃｔｉｏｎ  Ｒｅｃｏｎｆｉｇｕｒａｔｉｏｎ  Ｃｏｍｐｌｅｔｅ）をｅＮＢ２００に送信する。ｅＮＢ２００は、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信する。
【００９４】
ステップＳ１１７において、ＵＥ１００は、「ＲＲＣ  Ｃｏｎｎｅｃｔｉｏｎ  Ｒｅｃｏｎｆｉｇｕｒａｔｉｏｎ」に基づいて、ＷＬＡＮ２０へのアクセス（Ｉｎｉｔｉａｌ  Ａｃｃｅｓｓ）を行う。ここで、ＵＥ１００は、ＬＬＣヘッダ及び／又はＳＮＡＰヘッダにＷ−ＲＮＴＩを含める。Ｗ−ＲＮＴＩは、例えば１バイト（又は６ビット）であることが望ましい。この場合、ＵＥ１００は、例えばＬＬＣヘッダ中のＤＳＡＰフィールド（１バイト）にＷ−ＲＮＴＩを含める。或いは、ＵＥ１００は、ＬＬＣヘッダ及び／又はＳＮＡＰヘッダに「Ｘｗ  ＡＰ  ＵＥ  ＩＤ」を含めてもよい。
【００９５】
ＷＬＡＮ装置２５のＷＬＡＮ  ＬＬＣエンティティは、ＬＬＣヘッダ及び／又はＳＮＡＰヘッダに含まれるＷ−ＲＮＴＩ（又は「Ｘｗ  ＡＰ  ＵＥ  ＩＤ」）を取得し、Ｗ−ＲＮＴＩ（又は「Ｘｗ  ＡＰ  ＵＥ  ＩＤ」）に基づいて、ＷＬＡＮ２０にアクセスしたＵＥ１００を特定する。具体的には、ＷＬＡＮ  ＬＬＣエンティティは、ステップＳ１１３で割り当てたＷ−ＲＮＴＩ（又は「Ｘｗ  ＡＰ  ＵＥ  ＩＤ」）と、ＬＬＣヘッダ及び／又はＳＮＡＰヘッダに含まれるＷ−ＲＮＴＩ（又は「Ｘｗ  ＡＰ  ＵＥ  ＩＤ」）とが一致すると判断する。
【００９６】
ステップＳ１１８において、ＷＬＡＮ装置２５は、特定したＵＥ１００に対してＵＥ  Ｃｏｎｔｅｘｔ及び／又はネットワークＩＤを対応付ける。
【００９７】
ステップＳ１１９において、ＷＬＡＮ装置２５は、特定したＵＥ１００のＷＬＡＮ  ＭＡＣアドレスをさらに対応付けてもよい。
【００９８】
ステップＳ１２０において、ＷＬＡＮ装置２５は、ステップＳ１１７（及びステップＳ１１８）における対応付けの結果を用いて、ｅＮＢ２００から転送されるＵＥ１００宛てのデータをＵＥ１００に送信する。
【００９９】
［第１実施形態の変更例１］
上述した第１実施形態において、ＵＥ１００がＷＬＡＮ２０に行うアクセスが初期アクセス（Ｉｎｉｔｉａｌ  Ａｃｃｅｓｓ）である一例を説明した。しかしながら、２回目以降のＷＬＡＮアクセスの際に、上述した第１実施形態に係る動作を行ってもよい。
【０１００】
或いは、第１実施形態に係るＵＥ識別情報の通知を伴うアクセスを初期アクセスに限定してもよい。この場合、ＵＥ１００は、ｅＮＢ２００からＷＷＡＮ・ＷＬＡＮアグリゲーションが新たに指定された場合は、ＵＥ識別情報の通知を行わなければならないと規定してもよい。また、ＷＬＡＮ装置２５は、ＵＥ１００の特定が終わったらＵＥ識別情報を削除してもよい。
【０１０１】
［第１実施形態の変更例２］
上述した第１実施形態において、ＵＥ１００がＷＬＡＮ２０へのアクセスを行う際に通知するＵＥ識別情報として、Ｃ−ＲＮＴＩを用いる一例とＷ−ＲＮＴＩ（又はＸｗ  ＡＰ  ＵＥ  ＩＤ）を用いる一例とを説明した。
【０１０２】
しかしながら、ＵＥ１００がＷＬＡＮ２０へのアクセスを行う際に通知するＵＥ識別情報として、ＭＡＣアドレス、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＩＰアドレス等を用いてもよい。但し、Ｃ−ＲＮＴＩやＷ−ＲＮＴＩ等よりもバイト数が大きいので、望ましくない。
【０１０３】
［第１実施形態の変更例３］
上述した第１実施形態に係る動作は、ＳＮＡＰヘッダのタイプフィールド（新しいＥｔｈｅｒＴｙｐｅ）で、「ＬＴＥ  ＰＤＣＰ  ＰＤＵ」等の情報が入っている場合のみに限定してもよい。
【０１０４】
［第２実施形態］
以下において、第２実施形態について、第１実施形態との相違点を主として説明する。
【０１０５】
（第２実施形態に係るＷＷＡＮ・ＷＬＡＮアグリゲーション）
図１１は、第２実施形態に係るＷＷＡＮ・ＷＬＡＮアグリゲーションを示す図である。ここでは下りリンクのＷＷＡＮ・ＷＬＡＮアグリゲーションを説明するが、上りリンクにもＷＷＡＮ・ＷＬＡＮアグリゲーションを適用可能である。
【０１０６】
図１１に示すように、第２実施形態に係るＷＬＡＮ装置２５は、所定層のエンティティとして、第１実施形態に係るＷＬＡＮ  ＬＬＣエンティティに代えて、アダプテーション（Ａｄａｐｔａｔｉｏｎ）層エンティティを備える。アダプテーション層は、ＷＷＡＮ規格（３ＧＰＰ規格）により規定されるプロトコルである。
【０１０７】
その他の構成については、第１実施形態に係るＷＷＡＮ・ＷＬＡＮアグリゲーションの構成と同様である。具体的には、第１実施形態に係るＷＷＡＮ・ＷＬＡＮアグリゲーション（図６参照）において、「ＷＬＡＮ  ＬＬＣエンティティ」を「アダプテーション層エンティティ」と読み替えればよい。
【０１０８】
（第２実施形態に係る動作）
以下において、第２実施形態に係る動作について説明する。
【０１０９】
ＷＷＡＮ・ＷＬＡＮアグリゲーションを開始する際に、ＵＥ１００は、ｅＮＢ２００に接続した状態（すなわち、ＲＲＣコネクティッドモード）において、ＷＬＡＮ２０へのアクセス（初期アクセス）を行う。ここで、ＷＬＡＮ装置２５のアダプテーション層エンティティは、ｅＮＢ２００とのＧＴＰ−Ｕに用いるＵＥ識別情報（以下、「ネットワークＩＤ」）等を、ＷＬＡＮ２０にアクセスしてきたＵＥ１００と対応付ける必要がある。しかしながら、ＷＬＡＮ２０にアクセスしてきたＵＥ１００をアダプテーション層エンティティが特定する方法について、現状、不明確である。
【０１１０】
そこで、ＵＥ１００は、自ＵＥ１００がｅＮＢ２００に接続した状態においてＷＬＡＮ２０へのアクセスを行う際に、自ＵＥ１００の端末識別情報（ＵＥ識別情報）をアダプテーション層エンティティに通知する。第２実施形態において、ＵＥ１００は、自ＵＥ１００がＷＬＡＮ２０に送信するアダプテーション層の制御プロトコルデータユニット（ＰＤＵ）にＵＥ識別情報を含めることにより、ＵＥ識別情報をアダプテーション層エンティティに通知する。これにより、アダプテーション層エンティティは、ＵＥ識別情報に基づいてＵＥ１００を特定することができる。
【０１１１】
ＵＥ識別情報は、ｅＮＢ２００又はＷＬＡＮ２０から自ＵＥ１００に割り当てられた一時的なＵＥ識別情報である。ＵＥ１００は、一時的なＵＥ識別情報をｅＮＢ２００から取得する処理と、自ＵＥ１００がｅＮＢ２００に接続した状態においてＷＬＡＮ２０へのアクセスを行う際に、一時的なＵＥ識別情報をＷＬＡＮ  ＬＬＣエンティティに通知する処理と、を行う。ｅＮＢ２００からＵＥ１００に割り当てられる一時的なＵＥ識別情報は、例えばセル無線ネットワーク一時識別子（Ｃ−ＲＮＴＩ）である。また、ＷＬＡＮ２０からＵＥ１００に割り当てられる一時的なＵＥ識別情報は、ＷＬＡＮ無線ネットワーク一時識別子（Ｗ−ＲＮＴＩ）と称されてもよい。或いは、ＵＥ識別情報は、ＵＥ１００に固定的に割り当てられた識別情報であってもよい。ＵＥ１００に固定的に割り当てられた識別情報とは、例えばＵＥ１００のＷＬＡＮ  ＭＡＣアドレスである。
【０１１２】
（１）アダプテーション層制御ＰＤＵ
図１２は、第２実施形態に係るアダプテーション層制御ＰＤＵを説明するための図である。
【０１１３】
図１２に示すように、ＵＥ１００がＷＬＡＮ２０に送信するアダプテーション層ＰＤＵは、当該ＰＤＵが制御ＰＤＵである「０」のかデータＰＤＵであるのか「１」を示す１ビットのＣ／Ｄフィールドと、ＵＥ１００のＵＥ識別情報を格納するフィールドと、を含む。ここでは、ＵＥ識別情報がＷＬＡＮ  ＭＡＣアドレスである一例を示している。但し、ＵＥ識別情報は、Ｃ−ＲＮＴＩ又はＷ−ＲＮＴＩ等であってもよい。
【０１１４】
ＵＥ１００は、ＷＬＡＮ２０へのアクセス（初期アクセス）を行う際に、Ｃ／Ｄフィールドを「０」に設定し、かつＭＡＣアドレスフィールドにＵＥ１００のＷＬＡＮ  ＭＡＣアドレスを設定したアダプテーション層ＰＤＵ（すなわち、アダプテーション層制御ＰＤＵ）をアダプテーション層エンティティに通知する。つまり、ＵＥ１００は、ＷＬＡＮ２０への初期アクセスについては、アダプテーション層制御ＰＤＵから送信を開始する。
【０１１５】
（２）動作パターン１乃至３
図１３は、第２実施形態の動作パターン１乃至３を示すシーケンス図である。
【０１１６】
動作パターン１において、ＵＥ識別情報は、Ｃ−ＲＮＴＩである。この場合、図１３に示す「ＭＡＣ  Ａｄｄｒｅｓｓ」及び「Ｗ−ＲＮＴＩ」は不要であり、かつ図１３に示すステップＳ２０３も不要である。ＵＥ識別情報がＣ−ＲＮＴＩである場合、第１実施形態の動作パターン１において、「ＷＬＡＮ  ＬＬＣエンティティ」を「アダプテーション層エンティティ」と読み替え、「ＬＬＣヘッダ及び／又はＳＮＡＰヘッダ」を「アダプテーション層制御ＰＤＵ」と読み替えればよい。
【０１１７】
動作パターン２において、ＵＥ識別情報は、Ｗ−ＲＮＴＩである。この場合、図１３に示す「ＭＡＣ  Ａｄｄｒｅｓｓ」及び「Ｃ−ＲＮＴＩ」は不要である。ＵＥ識別情報がＷ−ＲＮＴＩである場合、第１実施形態の動作パターン２において、「ＷＬＡＮ  ＬＬＣエンティティ」を「アダプテーション層エンティティ」と読み替え、「ＬＬＣヘッダ及び／又はＳＮＡＰヘッダ」を「アダプテーション層制御ＰＤＵ」と読み替えればよい。
【０１１８】
動作パターン３において、ＵＥ識別情報は、ＷＬＡＮ  ＭＡＣアドレスである。この場合、図１３に示す「Ｃ−ＲＮＴＩ」及び「Ｗ−ＲＮＴＩ」は不要であり、かつ図１３に示すステップＳ２０３も不要である。以下において、ＵＥ識別情報がＷＬＡＮ  ＭＡＣアドレスである場合の動作について説明する。
【０１１９】
図１３に示すように、ステップＳ２０１において、ＵＥ１００は、ＷＬＡＮ２０（ＷＬＡＮ  ＡＰ３００）に対する測定結果を含む測定報告（Ｍｅａｓｕｒｅｍｅｎｔ  Ｒｅｐｏｒｔ）をｅＮＢ２００に送信する。ｅＮＢ２００は、測定報告（Ｍｅａｓｕｒｅｍｅｎｔ  Ｒｅｐｏｒｔ）に基づいて、ＷＷＡＮ・ＷＬＡＮアグリゲーションを開始することを決定する。ｅＮＢ２００は、測定報告（Ｍｅａｓｕｒｅｍｅｎｔ  Ｒｅｐｏｒｔ）以外の判断基準に基づいて当該決定を行なってもよい。
【０１２０】
ステップＳ２０２において、ｅＮＢ２００は、ＷＷＡＮ・ＷＬＡＮアグリゲーションを開始するための追加要求（ＷＴ  Ａｄｄｉｔｉｏｎ  Ｒｅｑｕｅｓｔ）をＸｗインターフェイス上でＷＬＡＮ装置２５に送信する。追加要求（ＷＴ  Ａｄｄｉｔｉｏｎ  Ｒｅｑｕｅｓｔ）は、ＵＥ１００のコンテキスト情報（ＵＥ  Ｃｏｎｔｅｘｔ）を含む。また、追加要求（ＷＴ  Ａｄｄｉｔｉｏｎ  Ｒｅｑｕｅｓｔ）は、ＵＥ１００のＷＬＡＮ  ＭＡＣアドレスを含む。なお、ｅＮＢ２００は、事前にＵＥ１００のＷＬＡＮ  ＭＡＣアドレスを把握する。そのような方法については、第３実施形態において説明する。
【０１２１】
ＷＬＡＮ装置２５は、追加要求（ＷＴ  Ａｄｄｉｔｉｏｎ  Ｒｅｑｕｅｓｔ）を受信すると、ＵＥ１００のＵＥ  Ｃｏｎｔｅｘｔ及びＷＬＡＮ  ＭＡＣアドレスを記憶する。また、ＷＬＡＮ装置２５は、Ｘｗインターフェイス上で用いるＵＥ１００のネットワークＩＤの割り当てを行う。ネットワークＩＤは、「Ｘｗ  ＡＰ  ＵＥ  ＩＤ」と称されてもよい。
【０１２２】
ステップＳ２０３が省略され、ステップＳ２０４において、ＷＬＡＮ装置２５は、追加要求（ＷＴ  Ａｄｄｉｔｉｏｎ  Ｒｅｑｕｅｓｔ）に対する肯定応答（ＷＴ  Ａｄｄｉｔｉｏｎ  Ｒｅｓｐｏｎｓｅ）をＸｗインターフェイス上でｅＮＢ２００に送信する。肯定応答（ＷＴ  Ａｄｄｉｔｉｏｎ  Ｒｅｓｐｏｎｓｅ）は、ＷＬＡＮ装置２５がＵＥ１００に割り当てたネットワークＩＤを含む。ｅＮＢ２００は、肯定応答（ＷＴ  Ａｄｄｉｔｉｏｎ  Ｒｅｓｐｏｎｓｅ）を受信する。
【０１２３】
ステップＳ２０５において、ｅＮＢ２００は、ＷＷＡＮ・ＷＬＡＮアグリゲーションを開始するためのＷＬＡＮアクセスを要求するメッセージをＵＥ１００に送信する。ＵＥ１００は、当該メッセージを受信する。当該メッセージは、例えばＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」である。「ＲＲＣ  Ｃｏｎｎｅｃｔｉｏｎ  Ｒｅｃｏｎｆｉｇｕｒａｔｉｏｎ」は、ＵＥ１００がアクセスするべきＷＬＡＮ装置２５を示す情報を含んでもよい。
【０１２４】
ステップＳ２０６において、ＵＥ１００は、「ＲＲＣ  Ｃｏｎｎｅｃｔｉｏｎ  Ｒｅｃｏｎｆｉｇｕｒａｔｉｏｎ」に対する肯定応答（ＲＲＣ  Ｃｏｎｎｅｃｔｉｏｎ  Ｒｅｃｏｎｆｉｇｕｒａｔｉｏｎ  Ｃｏｍｐｌｅｔｅ）をｅＮＢ２００に送信する。ｅＮＢ２００は、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信する。
【０１２５】
ステップＳ２０７において、ＵＥ１００は、「ＲＲＣ  Ｃｏｎｎｅｃｔｉｏｎ  Ｒｅｃｏｎｆｉｇｕｒａｔｉｏｎ」に基づいて、ＷＬＡＮ２０へのアクセス（Ｉｎｉｔｉａｌ  Ａｃｃｅｓｓ）を行う。ここで、ＵＥ１００は、アダプテーション層制御ＰＤＵに自身のＷＬＡＮ  ＭＡＣアドレスを含める。ＷＬＡＮ装置２５のアダプテーション層エンティティは、アダプテーション層制御ＰＤＵに含まれるＷＬＡＮ  ＭＡＣアドレスを取得し、ＷＬＡＮ  ＭＡＣアドレスに基づいて、ＷＬＡＮ２０にアクセスしたＵＥ１００を特定する。具体的には、アダプテーション層エンティティは、ステップＳ２０２でｅＮＢ２００から通知されたＷＬＡＮ  ＭＡＣアドレスと、アダプテーション層制御ＰＤＵに含まれるＷＬＡＮ  ＭＡＣアドレスとが一致すると判断する。
【０１２６】
ステップＳ２０８において、ＷＬＡＮ装置２５は、特定したＵＥ１００に対してＵＥ  Ｃｏｎｔｅｘｔ及び／又はネットワークＩＤ（ＮＷ  ＩＤ）を対応付ける。
【０１２７】
ステップＳ２０９において、ＷＬＡＮ装置２５は、ステップＳ２０８における対応付けの結果を用いて、ｅＮＢ２００から転送されるＵＥ１００宛てのデータをＵＥ１００に送信する。
【０１２８】
［第３実施形態］
以下において、第３実施形態について、第１実施形態及び第２実施形態との相違点を主として説明する。
【０１２９】
（第３実施形態に係るＷＷＡＮ・ＷＬＡＮアグリゲーション）
図１４は、第３実施形態に係るＷＷＡＮ・ＷＬＡＮアグリゲーションを示す図である。ここでは下りリンクのＷＷＡＮ・ＷＬＡＮアグリゲーションを説明するが、上りリンクにもＷＷＡＮ・ＷＬＡＮアグリゲーションを適用可能である。
【０１３０】
図１４に示すように、第３実施形態に係るＷＬＡＮ装置２５は、第１実施形態及び第２実施形態において説明したような所定層のエンティティ（ＷＬＡＮ  ＬＬＣエンティティ、アダプテーション層エンティティ）を備えていない。つまり、ＷＬＡＮ  ＭＡＣエンティティは、ｅＮＢ２００からＸｗインターフェイス上でＷＬＡＮ装置２５に転送されるデータ（ＰＤＣＰ  ＰＤＵ）を直接的に取得する。そして、ＷＷＡＮ  ＭＡＣエンティティは、ｅＮＢ２００からのデータを処理し、処理後のデータを物理層のエンティティ（不図示）を介してＵＥ１００に送信する。その他の構成については、第１実施形態及び第２実施形態と同様である。
【０１３１】
このような構成の場合、ＷＬＡＮ  ＭＡＣエンティティは、ＵＥ１００から送信されるＭＡＣヘッダ（イーサネットヘッダ）中の送信元ＭＡＣアドレスを解読することができる。よって、ＷＬＡＮ  ＭＡＣエンティティは、事前にｅＮＢ２００から当該ＵＥ１００のＷＬＡＮ  ＭＡＣアドレスを取得していれば、ＷＬＡＮ２０にアクセスしたＵＥ１００を特定可能である。
【０１３２】
（第３実施形態に係る動作）
ＵＥ１００は、自ＵＥ１００の能力に関する端末能力情報（ＵＥ  Ｃａｐａｂｉｌｉｔｙ）をｅＮＢ２００に送信する。ＵＥ１００がｅＮＢ２００に送信する端末能力情報（ＵＥ  Ｃａｐａｂｉｌｉｔｙ）は、一般的には、ＷＷＡＮ（ＬＴＥ）に関する当該ＵＥ１００の能力に関する情報である。
【０１３３】
第３実施形態に係るＵＥ１００は、自ＵＥ１００に固定的に割り当てられたＵＥ識別情報を能力情報に含める。ＵＥ識別情報は、ＵＥ１００のＷＬＡＮ  ＭＡＣアドレスである。或いは、ＵＥ識別情報は、ＩＭＳＩであってもよい。
【０１３４】
ＵＥ１００は、ＷＷＡＮ・ＷＬＡＮアグリゲーションの能力を自ＵＥ１００が有する場合に、ＵＥ識別情報（ＷＬＡＮ  ＭＡＣアドレス）を端末能力情報（ＵＥ  Ｃａｐａｂｉｌｉｔｙ）に含めてもよい。ｅＮＢ２００は、端末能力情報（ＵＥ  Ｃａｐａｂｉｌｉｔｙ）にＷＬＡＮ  ＭＡＣアドレスが含まれる場合、当該ＵＥ１００がＷＷＡＮ・ＷＬＡＮアグリゲーションの能力を有すると判断してもよい。
【０１３５】
図１５は、第３実施形態に係る動作を示すシーケンス図である。
【０１３６】
図１５に示すように、ステップＳ３０１乃至ステップＳ３０５は、ＵＥ１００がＷＷＡＮ（ＬＴＥネットワーク）にアタッチするときの動作を示す。
【０１３７】
ステップＳ３０１において、ｅＮＢ２００は、ＲＲＣ接続確立（ＲＲＣ  Ｃｏｎｎｅｃｔｉｏｎ  Ｓｅｔｕｐ）メッセージをＵＥ１００に送信する。
【０１３８】
ステップＳ３０２において、ＵＥ１００は、ＲＲＣ接続確立完了（ＲＲＣ  Ｃｏｎｎｅｃｔｉｏｎ  Ｓｅｔｕｐ  Ｃｏｍｐｌｅｔｅ）メッセージをｅＮＢ２００に送信する。また、ＵＥ１００は、端末能力情報（ＵＥ  Ｃａｐａｂｉｌｉｔｙ）をＮＡＳメッセージによりｅＮＢ２００に送信する。端末能力情報（ＵＥ  Ｃａｐａｂｉｌｉｔｙ）は、ＵＥ１００のＷＬＡＮ  ＭＡＣアドレスを含む。
【０１３９】
ステップＳ３０３において、ｅＮＢ２００は、ＵＥ初期アクセスを示すメッセージ（Ｉｎｉｔｉａｌ  ＵＥ  Ｍｅｓｓａｇｅ）をＭＭＥ５００Ｃに送信する。また、ｅＮＢ２００は、ＵＥ１００から受信したＮＡＳメッセージをＭＭＥ５００Ｃに転送する。ＭＭＥ５００Ｃは、ＮＡＳメッセージに含まれる端末能力情報（ＵＥ  Ｃａｐａｂｉｌｉｔｙ）を記憶する。ＭＭＥ５００Ｃは、ＵＥ１００がデタッチするまで、端末能力情報（ＵＥ  Ｃａｐａｂｉｌｉｔｙ）を保持する。
【０１４０】
ステップＳ３０４において、ＭＭＥ５００Ｃは、ＵＥ初期コンテキスト確立要求（Ｉｎｉｔｉａｌ  Ｃｏｎｔｅｘｔ  Ｓｅｔｕｐ  Ｒｅｑｕｅｓｔ）メッセージをｅＮＢ２００に送信する。また、ＭＭＥ５００Ｃは、ＵＥ１００の無線能力（ＵＥ  Ｒａｄｉｏ  Ｃａｐａｂｉｌｉｔｙ）の一部として、ＵＥ１００のＷＬＡＮ  ＭＡＣアドレスをｅＮＢ２００に通知する。
【０１４１】
ステップＳ３０５において、ｅＮＢ２００は、ＵＥ１００の無線能力（ＵＥ  Ｒａｄｉｏ  Ｃａｐａｂｉｌｉｔｙ）にＷＬＡＮ  ＭＡＣアドレスが含まれていることから、ＵＥ１００がＷＷＡＮ・ＷＬＡＮアグリゲーションの能力を有すると判断する。
【０１４２】
次に、ステップＳ３０６乃至ステップＳ３０８は、ＵＥ１００がＷＷＡＮ（ＬＴＥネットワーク）にアタッチした後の動作（通常時の動作）を示す。
【０１４３】
ステップＳ３０６において、ｅＮＢ２００は、端末能力情報の送信要求（ＵＥ  Ｃａｐａｂｉｌｉｔｙ  Ｉｎｑｕｉｒｙ）をＵＥ１００に送信する。
【０１４４】
ステップＳ３０７において、ＵＥ１００は、送信要求（ＵＥ  Ｃａｐａｂｉｌｉｔｙ  Ｉｎｑｕｉｒｙ）の受信に応じて、端末能力情報（ＵＥ  Ｃａｐａｂｉｌｉｔｙ  Ｉｎｆｏｒｍａｔｉｏｎ）をｅＮＢ２００に送信する。端末能力情報（ＵＥ  Ｃａｐａｂｉｌｉｔｙ  Ｉｎｆｏｒｍａｔｉｏｎ）は、「ＵＥ  Ｃａｐａｂｉｌｉｔｙ  ＲＡＴ  Ｃｏｎｔａｉｎｅｒ」の一部として、ＵＥ１００のＷＬＡＮ  ＭＡＣアドレスを含む。
【０１４５】
ステップＳ３０８において、ｅＮＢ２００は、ＵＥ１００の「ＵＥ  Ｃａｐａｂｉｌｉｔｙ  ＲＡＴ  Ｃｏｎｔａｉｎｅｒ」にＷＬＡＮ  ＭＡＣアドレスが含まれていることから、ＵＥ１００がＷＷＡＮ・ＷＬＡＮアグリゲーションの能力を有すると判断する。
【０１４６】
［第４実施形態］
以下において、第４実施形態について、第１実施形態乃至第３実施形態との相違点を主として説明する。
【０１４７】
（ＵＥ・ＷＬＡＮ間の認証処理）
図１６は、第４実施形態に係るＵＥ・ＷＬＡＮ間の認証処理を示すシーケンス図である。
【０１４８】
図１６に示すように、ｅＮＢ２００は、ＵＥ１００に測定設定（Ｍｅａｓｕｒｅｍｅｎｔ  Ｃｏｎｆｉｇｕｒａｔｉｏｎ）を行い、測定報告（Ｍｅａｓｕｒｅｍｅｎｔ  Ｒｅｐｏｒｔ）をＵＥ１００から受信し、ＵＥ１００にアクセスさせるＷＬＡＮ  ＡＰ３００の選択（ＡＰ  ｓｅｌｅｃｔｉｏｎ）を行い、かつ、ＰＭＫの導出（ＰＭＫ  ｄｅｒｉｖａｔｉｏｎ）を行う。ＰＭＫ（Ｐａｉｒｗｉｓｅ  Ｍａｓｔｅｒ  Ｋｅｙ）は、ＵＥ・ＷＬＡＮ間の認証処理に用いられる認証情報である。そして、ｅＮＢ２００は、導出したＰＭＫをＷＬＡＮ２０に通知する。ｅＮＢ２００は、上述した追加要求（ＷＴ  Ａｄｄｉｔｉｏｎ  Ｒｅｑｕｅｓｔ）にＰＭＫを含めてＷＬＡＮ２０に送信してもよい。ｅＮＢ２００は、後述するＳｔｅｐ  ３とＳｔｅｐ  ４との間において、ＰＭＫをＷＬＡＮ２０及びＵＥ１００に通知してもよい。
【０１４９】
また、ｅＮＢ２００は、ＷＷＡＮ・ＷＬＡＮアグリゲーションを開始するための「ＲＲＣ  Ｃｏｎｎｅｃｔｉｏｎ  Ｒｅｃｏｎｆｉｇｕｒａｔｉｏｎ」メッセージをＵＥ１００に送信し、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをＵＥ１００から受信する。ここで、「ＲＲＣ  Ｃｏｎｎｅｃｔｉｏｎ  Ｒｅｃｏｎｆｉｇｕｒａｔｉｏｎ」メッセージは、ＵＥ１００がＰＭＫを導出するための情報を含む。ＵＥ１００は、当該情報に基づいてＰＭＫを導出する。
【０１５０】
次に、Ｓｔｅｐ  １において、ＵＥ１００は、ＷＬＡＮ２０のビーコンフレーム（Ｂｅａｃｏｎ）又はプローブ応答（Ｐｒｏｂｅ  Ｒｅｓｐｏｎｓｅ）を検出し、ビーコンフレーム又はプローブ応答に含まれるセキュリティパラメータに基づいてＷＬＡＮセキュリティポリシー（ＷＥＰ、ＷＰＡ等）を特定する。
【０１５１】
Ｓｔｅｐ  ２において、ＵＥ１００は、ＷＬＡＮ２０とのオープンシステム認証（Ｏｐｅｎ  Ｓｙｓｔｅｍ  ａｕｔｈｅｎｔｉｃａｔｉｏｎ）を行う。
【０１５２】
Ｓｔｅｐ  ３において、ＵＥ１００は、「Ａｓｓｏｃｉａｔｉｏｎ  ｐｒｏｃｅｄｕｒｅ」を開始し、自ＵＥ１００が選択したＷＬＡＮセキュリティポリシーをＷＬＡＮ２０に通知し、応答（Ａｓｓｏｃｉａｔｉｏｎ  Ｒｅｓｐｏｎｓｅ）をＷＬＡＮ２０から受信する。
【０１５３】
Ｓｔｅｐ  ４において、ＵＥ１００及びＷＬＡＮ２０は、ハンドシェイクプロシージャを行う。具体的には、ＷＬＡＮ２０は、ＰＭＫから生成したＡＮｏｎｃｅを含むＥＡＰＯＬ−ＫｅｙをＵＥ１００に送信し、ＵＥ１００は、ＰＭＫから生成したＳＮｏｎｃｅを含むＥＡＰＯＬ−ＫｅｙをＷＬＡＮ２０に送信する。そして、ＷＬＡＮ２０は、ＡＮｏｎｃｅ及びＳＮｏｎｃｅからユニキャスト通信用の暗号鍵情報（ＰＴＫ：Ｐａｉｒｗｉｓｅ  Ｔｒａｎｓｉｅｎｔ  Ｋｅｙ）を導出し、ＰＴＫを含むＥＡＰＯＬ−ＫｅｙをＵＥ１００に送信し、ＵＥ１００は、それに応じてＥＡＰＯＬ−ＫｅｙをＷＬＡＮ２０に送信する。
【０１５４】
（第４実施形態に係る動作）
上記のように、ＵＥ・ＷＬＡＮ間の認証処理においては、ＰＭＫをｅＮＢ２００が事前にＷＬＡＮ２０（ＷＬＡＮ装置２５）及びＵＥ１００に通知することにより、ＷＬＡＮ２０（ＷＬＡＮ装置２５）及びＵＥ１００間での認証ができるようにしている。
【０１５５】
第４実施形態において、ＷＬＡＮ装置２５は、ｅＮＢ２００からの追加要求（ＷＴ  Ａｄｄｉｔｉｏｎ  Ｒｅｑｕｅｓｔ）の受信に応じて、追加要求（ＷＴ  Ａｄｄｉｔｉｏｎ  Ｒｅｑｕｅｓｔ）に含まれるＵＥ  Ｃｏｎｔｅｘｔを記憶する。また、ＷＬＡＮ装置２５は、ｅＮＢ２００とのＸｗインターフェイス上で用いるＵＥ１００のネットワークＩＤの割り当てを行う。ネットワークＩＤは、「Ｘｗ  ＡＰ  ＵＥ  ＩＤ」と称されてもよい。
【０１５６】
ＷＬＡＮ装置２５は、ｅＮＢ２００から受信したＰＭＫを「Ｘｗ  ＡＰ  ＵＥ  ＩＤ」及びＵＥ  Ｃｏｎｔｅｘｔと対応付けて記憶する。換言すると、ＷＬＡＮ装置２５は、ｅＮＢ２００に接続しているＵＥ１００との認証処理に用いる認証情報（ＰＭＫ）とＵＥ１００のＵＥ識別情報（Ｘｗ  ＡＰ  ＵＥ  ＩＤ及び／又はＵＥ  Ｃｏｎｔｅｘｔ）とを記憶する。そして、ＷＬＡＮ装置２５は、ＵＥ１００が自ＷＬＡＮ装置２５にアクセス（初期アクセス）し、かつ認証情報（ＰＭＫ）を用いた認証処理に成功した場合、当該ＵＥ１００にＵＥ識別情報（Ｘｗ  ＡＰ  ＵＥ  ＩＤ及び／又はＵＥ  Ｃｏｎｔｅｘｔ）を対応付ける。
【０１５７】
従って、第４実施形態によれば、ＵＥ・ＷＬＡＮ間の認証処理を利用してＷＬＡＮ装置２５がＵＥ１００を特定することができる。
【０１５８】
［第４実施形態の変更例］
上述した第４実施形態において、ｅＮＢ２００がＰＭＫをＷＬＡＮ装置２５及びＵＥ１００に提供する一例を説明した。しかしながら、ＷＬＡＮ装置２５がＰＭＫを生成し、ＵＥ１００と共有してもよい。
【０１５９】
図１７は、第４実施形態の変更例を示すシーケンス図である。
【０１６０】
図１７に示すように、ステップＳ４０１において、ＵＥ１００は、ＷＬＡＮ２０（ＷＬＡＮ  ＡＰ３００）に対する測定結果を含む測定報告（Ｍｅａｓｕｒｅｍｅｎｔ  Ｒｅｐｏｒｔ）をｅＮＢ２００に送信する。ｅＮＢ２００は、測定報告（Ｍｅａｓｕｒｅｍｅｎｔ  Ｒｅｐｏｒｔ）に基づいて、ＷＷＡＮ・ＷＬＡＮアグリゲーションを開始することを決定する。ｅＮＢ２００は、測定報告（Ｍｅａｓｕｒｅｍｅｎｔ  Ｒｅｐｏｒｔ）以外の判断基準に基づいて当該決定を行なってもよい。
【０１６１】
ステップＳ４０２において、ｅＮＢ２００は、ＷＷＡＮ・ＷＬＡＮアグリゲーションを開始するための追加要求（ＷＴ  Ａｄｄｉｔｉｏｎ  Ｒｅｑｕｅｓｔ）をＸｗインターフェイス上でＷＬＡＮ装置２５に送信する。追加要求（ＷＴ  Ａｄｄｉｔｉｏｎ  Ｒｅｑｕｅｓｔ）は、ＵＥ１００のコンテキスト情報（ＵＥ  Ｃｏｎｔｅｘｔ）を含む。ＷＬＡＮ装置２５は、追加要求（ＷＴ  Ａｄｄｉｔｉｏｎ  Ｒｅｑｕｅｓｔ）を受信すると、ＵＥ１００のＵＥ  Ｃｏｎｔｅｘｔを記憶する。
【０１６２】
ＷＬＡＮ装置２５は、ＰＭＫを導出するための情報（Ｋｅｙ  ｍａｔｅｒｉａｌ）を生成する。また、ＷＬＡＮ装置２５は、Ｘｗインターフェイス上で用いるＵＥ１００のネットワークＩＤ（Ｘｗ  ＡＰ  ＵＥ  ＩＤ）の割り当てを行う。
【０１６３】
ステップＳ４０３において、ＷＬＡＮ装置２５は、追加要求（ＷＴ  Ａｄｄｉｔｉｏｎ  Ｒｅｑｕｅｓｔ）に対する肯定応答（ＷＴ  Ａｄｄｉｔｉｏｎ  Ｒｅｓｐｏｎｓｅ）をＸｗインターフェイス上でｅＮＢ２００に送信する。肯定応答（ＷＴ  Ａｄｄｉｔｉｏｎ  Ｒｅｓｐｏｎｓｅ）は、ＰＭＫを導出するための情報（Ｋｅｙ  ｍａｔｅｒｉａｌ）及び「Ｘｗ  ＡＰ  ＵＥ  ＩＤ」を含む。ｅＮＢ２００は、肯定応答（ＷＴ  Ａｄｄｉｔｉｏｎ  Ｒｅｓｐｏｎｓｅ）を受信する。
【０１６４】
ステップＳ４０４において、ｅＮＢ２００は、ＷＷＡＮ・ＷＬＡＮアグリゲーションを開始するためのＷＬＡＮアクセスを要求するメッセージをＵＥ１００に送信する。ＵＥ１００は、当該メッセージを受信する。当該メッセージは、例えばＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」である。「ＲＲＣ  Ｃｏｎｎｅｃｔｉｏｎ  Ｒｅｃｏｎｆｉｇｕｒａｔｉｏｎ」は、ＰＭＫを導出するための情報（Ｋｅｙ  ｍａｔｅｒｉａｌ）を含む。
【０１６５】
ステップＳ４０５において、ＵＥ１００は、「ＲＲＣ  Ｃｏｎｎｅｃｔｉｏｎ  Ｒｅｃｏｎｆｉｇｕｒａｔｉｏｎ」に対する肯定応答（ＲＲＣ  Ｃｏｎｎｅｃｔｉｏｎ  Ｒｅｃｏｎｆｉｇｕｒａｔｉｏｎ  Ｃｏｍｐｌｅｔｅ）をｅＮＢ２００に送信する。ｅＮＢ２００は、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信する。
【０１６６】
ステップＳ４０６において、ＷＬＡＮ装置２５は、「Ｋｅｙ  ｍａｔｅｒｉａｌ」に基づいてＰＭＫを導出する。
【０１６７】
ステップＳ４０７において、ＵＥ１００は、「Ｋｅｙ  ｍａｔｅｒｉａｌ」に基づいてＰＭＫを導出する。
【０１６８】
ステップＳ４０８において、ＵＥ１００は、「ＲＲＣ  Ｃｏｎｎｅｃｔｉｏｎ  Ｒｅｃｏｎｆｉｇｕｒａｔｉｏｎ」に基づいて、ＷＬＡＮ２０へのアクセス（Ｉｎｉｔｉａｌ  Ａｃｃｅｓｓ）を行う。ＵＥ１００及びＷＬＡＮ装置２５は、ＰＭＫを用いて、上述したハンドシェイクプロシージャ（認証処理）を行う。ここでは、ハンドシェイクプロシージャ（認証処理）が成功したと仮定して、説明を進める。
【０１６９】
ＷＬＡＮ装置２５は、認証処理に用いたＰＭＫに基づいて、ＷＬＡＮ２０にアクセスしたＵＥ１００を特定する。具体的には、ＷＬＡＮ装置２５は、ステップＳ４０３で通知した「Ｋｅｙ  ｍａｔｅｒｉａｌ」に対応するＰＭＫと、認証処理に用いたＰＭＫとが一致すると判断する。
【０１７０】
ステップＳ４０９において、ＷＬＡＮ装置２５は、特定したＵＥ１００に対してＵＥ  Ｃｏｎｔｅｘｔ及び／又はネットワークＩＤ（Ｘｗ  ＡＰ  ＵＥ  ＩＤ）を対応付ける。ＷＬＡＮ装置２５は、特定したＵＥ１００のＷＬＡＮ  ＭＡＣアドレスをさらに対応付けてもよい。
【０１７１】
ステップＳ４１０において、ＷＬＡＮ装置２５は、ステップＳ４０９における対応付けの結果を用いて、ｅＮＢ２００から転送されるＵＥ１００宛てのデータをＵＥ１００に送信する。
【０１７２】
第４実施形態の変更例によれば、ＷＴ４００とＵＥ１００との間でＰＭＫを一意に決めることができる。なお、上述した第４実施形態においては、ｅＮＢ２００がＰＭＫを生成するため、ＷＬＡＮ装置２５が複数のｅＮＢ２００とＸｗインターフェイスを持つ場合に、ＰＭＫが一意ではなくなる可能性がある。例えば、複数のｅＮＢ２００のセルカバレッジ端に配置されたＷＬＡＮ装置２５は、当該複数のｅＮＢ２００からＰＭＫを受信する可能性がある。
【０１７３】
［その他の実施形態］
上述した各実施形態において、ＷＷＡＮシステムとしてＬＴＥシステムを例示した。しかしながら、本発明はＬＴＥシステムに限定されない。ＬＴＥシステム以外のＷＷＡＮシステムに本発明を適用してもよい。
【０１７４】
日本国特許出願第２０１５−１５９０５２号（２０１５年８月１１日出願）の全内容が、参照により本願明細書に組み込まれている。
【産業上の利用可能性】
【０１７５】
本発明は、無線通信分野において有用である。
【図１】
2017026442.tif 000003
【図２】
2017026442.tif 000004
【図３】
2017026442.tif 000005
【図４】
2017026442.tif 000006
【図５】
2017026442.tif 000007
【図６】
2017026442.tif 000008
【図７】
2017026442.tif 000009
【図８】
2017026442.tif 000010
【図９】
2017026442.tif 000011
【図１０】
2017026442.tif 000012
【図１１】
2017026442.tif 000013
【図１２】
2017026442.tif 000014
【図１３】
2017026442.tif 000015
【図１４】
2017026442.tif 000016
【図１５】
2017026442.tif 000017
【図１６】
2017026442.tif 000018
【図１７】
2017026442.tif 000019
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
通信方法であって、
無線広域ネットワーク（ＷＷＡＮ）に含まれる基地局が、前記ＷＷＡＮと無線狭域ネットワーク（ＷＬＡＮ）とを用いた通信が実行されるＷＷＡＮ・ＷＬＡＮアグリゲーションをサポートする無線端末と前記ＷＬＡＮに含まれるＷＬＡＮ装置との間の認証処理に用いる認証情報を生成するステップと、
前記基地局が、前記認証情報と前記無線端末のＷＬＡＮ媒体アクセス制御（ＭＡＣ）アドレスとを含むＷＴ  ＡＤＤＩＴＩＯＮ  ＲＥＱＵＥＳＴを前記ＷＬＡＮ装置へＸｗインターフェイス上で送信するステップと、
前記ＷＬＡＮ装置が、前記ＷＴ  ＡＤＤＩＴＩＯＮ  ＲＥＱＵＥＳＴを前記基地局から前記Ｘｗインターフェイス上で受信するステップと、
前記基地局が、前記認証情報を導出するための情報を含むＲＲＣメッセージを前記無線端末へ送信するステップと、
前記無線端末が、前記ＲＲＣメッセージを前記基地局から受信するステップと、
前記無線端末が、前記ＲＲＣメッセージに含まれる前記情報に基づいて、前記認証情報を導出するステップと、
前記無線端末が、前記認証情報を用いて、前記ＷＬＡＮ装置との前記認証処理を行うステップと、を備える、通信方法。
【請求項２】
無線広域ネットワーク（ＷＷＡＮ）に含まれる基地局であって、
制御部を備え、
前記制御部は、
前記ＷＷＡＮと無線狭域ネットワーク（ＷＬＡＮ）とを用いた通信が実行されるＷＷＡＮ・ＷＬＡＮアグリゲーションをサポートする無線端末と前記ＷＬＡＮに含まれるＷＬＡＮ装置との間の認証に用いる認証情報を生成し、
前記認証情報と前記無線端末のＷＬＡＮ媒体アクセス制御（ＭＡＣ）アドレスとを含むＷＴ  ＡＤＤＩＴＩＯＮ  ＲＥＱＵＥＳＴを前記ＷＬＡＮ装置へＸｗインターフェイス上で送信し、
前記認証情報を導出するための情報を含むＲＲＣメッセージを前記無線端末へ送信する、よう構成される、基地局。
【請求項３】
無線広域ネットワーク（ＷＷＡＮ）と無線狭域ネットワーク（ＷＬＡＮ）とを用いた通信が実行されるＷＷＡＮ・ＷＬＡＮアグリゲーションをサポートする無線端末であって、
制御部を備え、
前記制御部は、
前記無線端末と前記ＷＬＡＮに含まれるＷＬＡＮ装置との間の認証処理に用いる認証情報を導出するための情報を含むＲＲＣメッセージを前記基地局から受信し、
前記ＲＲＣメッセージに含まれる前記情報に基づいて、前記認証情報を導出し、
前記認証情報を用いて、前記ＷＬＡＮ装置との前記認証処理を行う、よう構成される、無線端末。
【国際調査報告】
2017026442.tif 000020
2017026442.tif 000021
2017026442.tif 000022
2017026442.tif 000023